(57)【要約】  太陽光発電モジュールのための接続箱に関し、接続箱は、取付状態において、太陽光発電モジュールに装着され、開いた接触クランプを備え、接触クランプは活動的に閉じて、可撓性の平坦導体帯と接触する。好ましくは、接触クランプ（２２）の作動は、２つのハウジング部分の間の装置によって、装着されるときに自動的に実行される。【選択図】        図２
2010518564.tif 000002
【特許請求の範囲】
【請求項１】
太陽光発電モジュールの表面から突出した少なくとも１つの可撓性の平坦導体を有する太陽光発電モジュール（２４）のための接続箱（１）であって、この接続箱は、
太陽光発電モジュール（２４）に装着される絶縁ハウジング（３）であって、該ハウジングの側（５０ａ）に挿入口（２６）を有し、取り付けられた状態において、該側（５０ａ）は太陽光発電モジュール（２４）と対向し、平坦導体帯（２８）をハウジング（３）に挿入するための該絶縁ハウジング（３）と、
ハウジング（３）内に配置され、可撓性の平坦導体帯（２８）と電気的に接続する接触クランプ（２２）を有する結合装置（２０）とを備え、
接続箱（１）は、取付状態と接触状態とを画定し、
接触クランプ（２２）は、取付状態においては開かれて、可撓性の平坦導体帯（２８）を開いた接触クランプ（２２）に挿入できるようになっており、
接触クランプ（２２）は、接触状態においては閉じられて、可撓性の平坦導体帯（２８）と電気的に接続するようになっており、
接続箱（１）は、接触クランプ（２２）を閉じるための作動構造（１８）を有し、この作動構造が、接続箱（１）を太陽光発電モジュール（２４）に装着して、可撓性の平坦導体帯（２８）をハウジング（３）に挿入した後に、作動することを特徴とする接続箱。
【請求項２】
ハウジングは、少なくとも２部品から形成され、２つのハウジング部分（２，５０）は、互いに対して可動であり、２つのハウジング部分（２，５０）の相対的な動きに応答して、可撓性の平坦導体帯（２８）に接触するために、作動構造（１８）は自動的に接触クランプ（２２）を閉じることを特徴とする請求項１に記載の接続箱。
【請求項３】
ハウジングは、摺動装置（１４，１５）を有し、この手段によって、２つのハウジング部分（２，５０）は、太陽光発電モジュール（２４）の表面（２４ａ）に対して横方向に、互いに対して摺動可能であり、作動装置（１８）は、２つのハウジング部分（２，５０）の相対的な動きに応答して、可撓性の平坦導体帯（２８）に接触するために、作動構造（１８）が自動的に接触クランプ（２２）を閉じることを特徴とする請求項２に記載の接続箱。
【請求項４】
摺動構造（１４，１５）は、案内スリーブ（１４）に案内された複数の整列ピン（１４）を有し、これらのピンは、２つのハウジング部分（２，５０）に設けられていることを特徴とする請求項３に記載の接続箱。
【請求項５】
摺動構造（１４，１５）は、取付状態において、自己ロック式であり、２つのハウジング部分のうち一方（２）だけを把持して取り扱うとき、他方のハウジング部分（５０）が落下することがないことを特徴とする請求項３または４に記載の接続箱。
【請求項６】
取付状態において、２つのハウジング部分のうち第１の部分（５０）は、太陽光発電モジュールに対面する側面にて、２つのハウジング部分のうち第２の部分（２）を突出させ、接続箱（１）を太陽光発電モジュール（２４）に装着したとき、最初に、第１のハウジング部分（５０）だけが太陽光発電モジュール（２４）に係合し、第２のハウジング部分（２）に太陽光発電モジュール（２４）に向けた方向の力を適用することで、第１のハウジング部分（５０）に対して、第２のハウジング部分（２）がシフトし、作動構造（１８）によって、接触クランプ（２２）を閉じることを特徴とする請求項３、４または５に記載の接続箱。
【請求項７】
ハウジング（３）は、少なくとも２部品から形成され、２つのハウジング部分のうち第１の部分（５０）は、太陽光発電モジュール（２４）に係合するための底部要素として形成され、２つのハウジング部分のうち第２の部分（２）は、キャップ部分として形成され、２つのハウジング部分（２，５０）のうち少なくとも１つは、外周に側壁（２ａ〜ｄ）を有し、第１および第２のハウジング部分（２，５０）は一緒になって、事前に形成された開口部を除いて、閉じられて、ハウジング（３）が接触状態において太陽光発電モジュール（２４）としっかり結合されたとき、少なくとも水しぶきに対して不浸透性の箱を結合構造（１）が備えることを特徴とする請求項１から６のいずれか一項に記載の接続箱。
【請求項８】
キャップ部分（２）は、外周に唇部（８）を有し、キャップ部分（２）を太陽光発電モジュール（２４）の表面（２４ａ）に接着するためのグルー切欠部を備えていることを特徴とする請求項７に記載の接続箱。
【請求項９】
接触クランプ（２２）は、クランプばね（３２）とカウンタクランプ要素（３６）とを備えたばね力クランプとして形成され、ばね力クランプは、取付状態において自発的に開き、作動構造（１８）によって適用される力によって閉じられることを特徴とする請求項１から８のいずれか一項に記載の接続箱。
【請求項１０】
クランプばね（３２）および／またはカウンタクランプ要素（３６）は、結合構造（２０）に回動式に取り付けられ、可撓性の平坦導体帯（２８）との電気的接触は、作動構造（１８）による動作に応答して、クランプばね（３２）またはカウンタクランプ要素（３６）のうち少なくとも１つを回動させることで閉じられることを特徴とする請求項９に記載の接続箱。
【請求項１１】
接触クランプ（２２）は、ラッチ機構（５４，５５）を有し、これによって、接触ばね（３２）は接触状態に係止されることを特徴とする請求項１から１０のいずれか一項に記載の接続箱。
【請求項１２】
接続箱（１）を装着したとき、可撓性の平坦導体帯（２８）が、
実質的に無抵抗で、開いた接触クランプ（２２）における開いた挿入領域（１）において直接、挿入口（２６）から挿通されるか、または、
実質的に無抵抗で、ハウジング（３）の開いた中間領域（３０）の中へ、挿入口（２６）から挿通され、接続箱（１）は、可撓性の平坦導体帯（２８）のために偏向構造（２１）を有し、この偏向構造は、可撓性の平坦導体帯（２８）を屈曲させて、接触クランプのキャッチ領域（３１）の中へ入れる、
ことを特徴とする請求項１から１１のいずれか一項に記載の接続箱。
【請求項１３】
太陽光発電モジュール（２４）であって、表面（２４ａ）から、少なくとも１つの可撓性の平坦導体帯（２８）を突出させ、太陽光発電モジュール（２４）に取り付けられた請求項１から１２のいずれか一項に記載の少なくとも１つの接続箱（１）を有していることを特徴とする太陽光発電モジュール。
【請求項１４】
接続箱（１）を太陽光発電モジュール（２４）に結合する方法であって、該方法は、
太陽光発電モジュール（２４）の表面（２４ａ）から、少なくとも１つの可撓性の平坦導体帯（２８）を突出させて有しているような、太陽光発電モジュール（２４）を提供する段階と、
ハウジング（３）と結合構造（２０）とを備えてなる接続箱（１）を提供する段階であって、結合構造はハウジング（３）内に配置され、可撓性の平坦導体帯（２８）とクランプ接触を確立するための接触クランプ（２２）を備え、接続箱（１）の下側側面に挿入口（２６）を有すると共に、接触クランプ（２２）を作動させる作動構造を備える段階と、
接続箱（１）を太陽光発電モジュール（２４）に取り付ける段階であって、接続箱（１）は、挿入口（２６）を用いて、可撓性の平坦導体帯（２８）に装着される、上記段階と、
可撓性の平坦導体帯（２８）を開いた接触クランプ（２２）におけるキャッチ領域（３１）に挿入する段階であって、接続箱（１）を可撓性の平坦導体帯（２８）に装着されたときまたは装着された後に実行される段階と、
作動構造（１８）によって接触クランプ（２２）を閉じる段階であって、ここに、可撓性の平坦導体帯（２８）を接触させる段階と、
を備えていることを特徴とする方法。
【請求項１５】
ハウジング（３）は、底部要素（５０）とキャップ部分（２）とから形成された、少なくとも２部品からなり、結合装置（２０）は、底部要素（５０）に取り付けられると共に、底部要素（５０）と一緒に、キャップ部分（２）に対して摺動可能であり、摺動装置（１４，１５）は、別々の自己ロック式であり、底部要素（５０）と結合装置（２０）とは、接続箱（１）を太陽光発電モジュール（２４）に装着されたとき、キャップ部分（２）から落下することがなく、底部要素（５０）はキャップ部分（２）から下向きに突出し、太陽光発電モジュール（２４）に装着されたとき、最初に、底部要素（５０）だけが、太陽光発電モジュールの表面（２４ａ）に係合し、
太陽光発電モジュール（２４）に向けてキャップ部分（２）から力が加えられ、キャップ部分（２）が太陽光発電モジュール（２４）と係合するまで、キャップ部分（２）は、底部要素（５０）と結合装置（２０）とに対してシフトして、キャップ部分（２）と底部要素（５０）との相対的な動きに応答して、接触クランプ（２２）が自動的に閉じられる、
ことを特徴とする請求項１４に記載の方法。
【発明の詳細な説明】
【技術分野】
【０００１】
本発明は、太陽光発電モジュールの表面から突出する可撓性の平坦導体帯を有する太陽光発電モジュールのための接続箱と、接続箱を太陽光モジュールに接続する方法とに関する。
【背景技術】
【０００２】
過去数年間にわたって、太陽光発電モジュールの生産は、文字通り、ブームになっていて、とりわけ、それは環境にやさしいエネルギー生産の要求の高まりに起因する。太陽光発電モジュールで、直接、太陽光を電流に変換することにより、完全に排出物質が無く、人間および環境にとってリスクが無いと、ほぼ言える。例えば、最近では、新しい建物の屋根には完全に太陽光発電モジュールがかぶせられ、“太陽光発電プラント”さえも建造されている。太陽光発電の技術的な進歩により、太陽光発電モジュールは中央ヨーロッパおよび北アメリカなど好ましくない緯度においてさえますます効率的になっており、とりわけこれらの地域において大きな需要が存在する。化石燃料または原子力エネルギーとしての他のエネルギー媒体でのエネルギー生産上のコストが上昇していることはいうまでもなく、一方においてさらなる技術的な発展に起因した太陽光モジュールの効率の継続的な進歩により、太陽光発電はますます競争的になっている。
【０００３】
明らかに、他のエネルギー媒体との経済的競争において、太陽光モジュールの成功は、太陽光モジュールの生産および取付けコスト次第である。
【０００４】
代表的に、太陽光モジュールは、半導体技術を基礎とする複数の太陽電池セルからなっていて、これらのセルが相互に接合されて、大規模な太陽電池パネルになる。代表的な太陽光モジュールは、太陽に面する側にガラス板を有し、背面に透明なプラスチック層を有していて、この層の中に太陽電池セルが埋設されている。代表的に、太陽光モジュールの背面は、例えば、ポリ弗化ビニルおよびポリエステルなどの耐候性プラスチック化合物の薄膜で被覆される。モノ型またはポリ型の結晶性の太陽電池セルは、小さな半田線によって互いに電気的に相互に接続されている。代表的に、太陽光発電モジュールは、さらに金属輪郭フレームに取り付けられ、該化合物を固定して剛性を高めている。従って、太陽光発電モジュールは、基本的に、厚いガラス板と同様な、二次元の存在である。
【０００５】
代表的に、太陽光モジュールは、太陽から外れた側に、薄い平坦導体帯を有している。多くの場合、これらの帯は銅から作られており、太陽光発電モジュールの背面側から垂直に突出している。これらの平坦導体帯は極めて繊細であり、接続が困難である。加えて、太陽光発電モジュールが円板状の形状であるために、電気コネクタを固定するための機械的な挿入も困難である。従って、特殊な種類の電気コネクタが、そのような太陽光発電モジュールのために発達しており、この種類のものは結合箱または接続箱と称される。代表的に、接続箱は、太陽光発電モジュールの背面に接着され、太陽光発電モジュールにおける可撓性の平坦導体帯と接触するための電気結合装置を内部に有している。さらに、必要に応じて、接続箱は電気接続ケーブルを接続するための装置を有し、これが太陽光発電モジュールによって発生した電流を導くための接続箱によって、太陽光発電モジュールにおける可撓性の平坦導体帯と結合される。
【０００６】
さらに、いくつかの太陽光発電モジュールは代表的に直列接続において動作し、いわゆるバイパスダイオードまたはフリーホイールダイオードは、それぞれのモジュールに逆並列で接続される。接続箱の内部では、フリーホイールダイオードが電気接続装置に接続されている。モジュールが日陰に入り、または欠陥のために電気を発生しないならば、モジュールは、直列接続における太陽光発電モジュールの出力を低下させ、または、バイパスダイオードが無ければ、損傷することさえある。これはバイパスダイオードによって回避される。電流がダイオードを通って流れ、持続するからである。
【０００７】
機械的な状態，特に太陽光発電モジュールの形態と可撓性の平坦導体帯の繊細さに起因して、明らかに、接続箱を構成する際に多数の困難が生じる。
【０００８】
これまで、可撓性の平坦導体帯に装着される接続箱が知られている。その装着の際、可撓性の平坦導体帯は、手作業で曲げられて、接触クランプまたは半田付け接続によって、接続される。接続箱は、さらなる手順段階で、閉じられる。そのような接続配置または接続箱は、それぞれ、特許文献１および特許文献２に開示されている。そのような接続装置または接続箱を取り付けることは、それぞれ根気を要し、自動化された大量生産には適していないことが明らかである。
【０００９】
太陽光発電モジュールのための電気的な接続箱は特許文献３により知られるところであり、この箱はその下側に案内構造を有している。薄い導体帯はこの案内構造によって少ない遊びで横方向に案内され、クランプ装置の中に挿入するとき、導体帯が座屈または折り曲げられることを回避している。ここでは、導体帯を狭い案内構造にねじ入れなければならず、それにもかかわらず、クランプ構造の保持力は薄い導体帯をクランプ構造に挿入できるようにするため、比較的低く不利である。
【００１０】
これらすべてを見ると、太陽光発電モジュールの生産を革新するために、高い圧力によって、この観点を改良するための要望が存在している。
【先行技術文献】
【特許文献】
【００１１】
【特許文献１】独国特許出願公開第１０ ２００５ ０２５ ６３２Ａ１号明細書
【特許文献２】独国実用新案第２０ ２００５ ０１８ ８８４Ｕ１号明細書
【特許文献３】独国特許発明第１０３ ５８ １４０ Ｂ４号明細書
【発明の概要】
【発明が解決しようとする課題】
【００１２】
従って、本発明の目的は、容易で、迅速で、効率的で、特に、自動的に、例えばロボットによって、太陽光発電モジュールに結合される太陽光発電モジュールのための接続箱を提供することである。
【００１３】
本発明のさらに別の目的は、高い接触信頼性と長寿命とを提供する、そのような接続箱を提供することである。
【００１４】
本発明のさらに別の目的は、そのような接続箱であって、現在の技術水準における不都合を少なくとも軽減し、コスト効率的に、生産され、取り付けられるものを提供することである。
【課題を解決するための手段】
【００１５】
本発明の目的は、独立請求項に記載した内容によって解決される。有利な実施形態は、従属請求項の主題である。
【００１６】
本発明によれば、太陽光発電モジュールのための接続箱が提供され、太陽光発電モジュールの表面から突出した、一以上の可撓性の平坦導体帯と接触する。
【００１７】
接続箱は、太陽光発電モジュールに装着される絶縁ハウジングを備え、ハウジングの下側には挿入口を有している。“下側側面”という用語は、空間内における絶対的な向きの意味に理解されないことは明らかであるが、接続箱またはハウジングのそれぞれの側面は、下側と称され、取り付け状態における太陽光発電モジュールに対向する。すなわち、この側が、太陽光発電モジュールと係合する。
【００１８】
ハウジングの下側には挿入口が設けられ、その中にはハウジングが挿入口にて平坦導体帯に装着されたとき、平坦導体帯は自動的に挿入される。特に、挿入口は平坦導体帯のサイズに比べて本質的に大きく形成されており、平坦導体帯がハウジングの中に真っ直ぐに自由に挿入され、ハウジングによって案内されることがない。これは、平坦導体帯がハウジングと係合しないという利点を有している。これにより、特に、挿入中に帯が折り曲げられて、繊細な平坦導体帯を損傷させる危険が回避される。
【００１９】
ハウジング内には、電気的な結合装置が配置され、これは可撓性の平坦導体帯と電気的に接触するための接触クランプを有している。ハウジングが太陽光発電モジュールに装着され、平坦導体帯を覆っている取付状態においては、接触クランプは開かれていて、開いた接触クランプの内側の自由領域中に、繊細な平坦導体帯が衝突せずに挿入されることを可能にしている。この領域では、接触クランプを閉じるとき、平坦導体帯は、受け取られ（把持され）および接触する。従って、接触クランプのこの領域は、キャッチ領域と称される。しかるに、接続箱は２つの異なる状態を有し、すなわち、接触クランプが開かれた取付状態と、接触クランプが閉じられて、平坦導体帯を保持し、これと電気的に接触する、接触状態とがある。
【００２０】
接触クランプを閉じるには、すなわち接続箱を取付状態から接触状態に変化させるには、接続箱を太陽光発電モジュールに装着して、可撓性の平坦導体帯をハウジングに挿入した後で、作動構造によって接触クランプを活動的に作動させる。接続箱の設計に応じて、作動は、単一の生産段階における取付工程中に直ちに実行され、または第２の段階における取付けの後に実行される。そのために、作動構造は、ハウジングの内側に作動ノーズを備え、これは、例えば、作動裂け目または作動ピンであって、力を適用して、接触クランプを開き、および接触クランプを閉じる。
【００２１】
本発明においては、活動的に閉じる接触クランプによって、有利に、平坦導体帯を把持するクランプ力を選択可能であり、望むならば、高くできる。これは、接触の信頼性と耐久性とに対して、有利に影響する。
【００２２】
本発明の好ましい実施形態によれば、ハウジングは、少なくとも２部品から形成され、２つのハウジング部分は、例えば、互いに対して摺動可能であるように、互い対して可動になっている。取付状態においては、２つのハウジング部分のうち第１の部分は、さらに、２つのハウジング部分のうち第２の部分を、太陽光発電モジュールを向いている側に於いて、突き出している。従って、接続箱に装着したとき、最初に、２つのハウジング部分のうち第１の部分だけが太陽光発電モジュールと係合する。接続箱は、この第１のハウジング部分に取り付けられる。第２のハウジング部分を太陽光発電モジュールに向けて押すことで、互いに対する２つのハウジング部分の動きが、およびそれとともに結合装置に対する第２のハウジング部分の動きが、開始される。というのは、結合装置を有する第１のハウジング部分は、太陽光発電モジュールにそれ自体を支持し、第２のハウジング部分に固定された作動構造が、自動的に接触クランプを閉じるためである。従って、有利な点としては、外部からハウジングを係合することで、もっぱら接触クランプが閉じられて、手作業の介入はない。
【００２３】
この目的のために、２つのハウジング部分のうち、一方は複数の案内スリーブを有すると都合が良く、また、他方のハウジング部分は、それに対応する整列ピンを有し、これらが一緒になって、太陽光発電モジュールの表面に対して垂直な直動ガイドを形成している。取付状態においては、整列ピンは、特に好ましくは、案内スリーブに未だ完全に挿入されておらず、この位置で自己ロックまたは自己クランプで固定されていて、第２のハウジング部分が、例えば、取付ロボットによって取り外され、上から太陽光発電モジュールに装置されるとき、第１のハウジング部分は結合装置と共に落下することはない。接続箱を太陽光発電モジュールに装着したとき、摺動構造における自己ロックは、第１のハウジング部分に対して第２のハウジング部分の移動を喚起するために太陽光発電モジュールに向けて第２のハウジング部分に力を負荷することで克服され、第２のハウジング部分にて作動構造によって、接触クランプを閉じる。従って、接触クランプを閉じることは、接続箱を相対的な動きによって装着するとき、自動的に実行される。
【００２４】
これらの手段は、特に、容易で効率的な自動化された取付けを可能にするが、それは、主として、接続箱を太陽光発電モジュールに装着するとき、取付ロボットが接続箱を供給構造から取り上げて、太陽光発電モジュールに対して垂直に直動することだけが必要な場合に当てはまる。
【００２５】
従って、第１のハウジング部分は太陽光発電モジュールと係合するための底部要素として形成されるが、同時に、結合装置のための保持として働き、結合装置は、底部要素に固定して結合される。このために、底部要素は、ラッチ要素を提供し、例えば、これによって、結合装置は底部要素に係止される。第２のハウジング部分は、キャップ部分として形成される。２つのハウジング部分のうち少なくとも一方、つまり、好ましくはキャップ部分は、外周に側壁を有し、第１および第２のハウジング部分が一緒になって、例えば、下側および接続ケーブルを挿入するための側壁に設けられた所定の開口部を除き、ハウジングが接触状態において太陽光発電モジュールに固定されて結合されたとき、結合構造のための閉じられた少なくとも水しぶきに対して不浸透性の箱を形成する。好ましくは、キャップ部分は、山型帽子状に形成され、外周に唇部を有し、接触状態において、太陽光発電モジュールの表面に、キャップ部分を接着するためのグルー切欠部を備えている。接触状態においては、キャップ要素はいうまでもなく底部要素は、太陽光発電モジュールに対して面一に当接する。しかるに、底部要素は、必ずしも接続箱における底部全体をカバーする必要はない。底部要素の寸法は、太陽光発電モジュールに支持し、接続箱を固定するというその機能を満足すれば、むしろ充分である。望むならば、キャップ要素に加えて、底部要素は、太陽光発電モジュールに接着される。
【００２６】
好ましくは、接触クランプは、例えば、ばね金属でできているクランプばねでカウンタクランプ要素とを備えたばね力クランプとして形成され、ばね力クランプは接触状態において自発的に開き、作動構造によって適用される力によって閉じられる。このために、クランプばねを開いた状態で係止するラッチ機構を有し、例えばそれはラッチノーズの形態であって、取付状態において、接触クランプの保持フレームの箇所で突出部の背面に固定されることに打ち勝つかのように、禁止できる。これにより、接触クランプは、作動構造によってスナップ嵌合が開くのを克服して、活動的に閉じられるまで、作動しているとき、しっかりと開いて保持される。
【００２７】
特に、好ましくは、接触クランプは、クランプばねおよび／またはカウンタクランプ要素と共に使用され、結合装置における保持フレームに回動可能に取り付けられる。接触クランプを作動させると、次に、少なくとも１つのクランプばねの回動、または接触クランプを閉じるためのカウンタクランプ要素の回動を生じさせ、従って、可撓性の平坦導体帯との電気的な接触が閉じられる。好ましくは、平坦導体帯は、太陽光発電モジュールの法線に対して角度をなすように（例えば、４５゜または９０゜）、接触する。従って、２つの接触要素（ばねクランプおよびカウンタクランプ要素）の間における接触クランプの接触力は、太陽光発電モジュールの表面に対して垂直なベクトル成分を有している。接触クランプの形態に応じて、高くて長持ちする接触の信頼性にもかかわらず、作動構造は、ここでは簡素化される。
【００２８】
以下、２つの実施形態について詳細に説明する。すなわち、１つでは、可撓性の平坦導体帯は、接続箱が装着されたとき、開かれた接触クランプにおける開いたキャッチ領域の中に直接挿入される。別の実施形態では、可撓性の平坦導体帯は、接続箱が装着されるとき、最初に、ハウジングの開いた中間的領域の中に挿入され、接続箱は可撓性の平坦導体帯のための偏向構造を有し、この構造は、可撓性の平坦導体帯を、中間的領域から接触クランプのキャッチ領域の中に曲げこむ。２つ目に述べられる実施形態においては、偏向構造は、好ましくは、偏向アームを備え、このアームは、接続箱が太陽光発電モジュールに装着されたときに作動して、可撓性の平坦導体帯が曲げられた後にキャッチ領域に延在するように挿入口を通して挿入した後で、可撓性の平坦導体帯をハウジングの中の接触クランプに向けて曲げこみ、次に、接触クランプを閉じることで、把持および電気的に接触させる。
【００２９】
説明される両方の実施形態に共通することは、先に説明した現在の技術水準とは対照的に、接触クランプは、薄い平坦導体帯によって押し開かれることがなく、平坦導体帯は、最初には、実質的に抵抗を受けず、接続箱のハウジング内の開いた領域の中に、挿入口を通して全体的に挿入されることである。特に、挿入口は、平坦導体帯の横断面寸法に比べてかなり大きくなっている。有利には、繊細な平坦導体帯を損傷する危険は、これにより減少する。
【００３０】
以下、本発明について、実施形態と図面とに基づいて、より詳細に説明することとし、図面において、両方の実施形態にて同一または類似の要素には、同一の参照符号を付しており、２つの実施形態の特徴は、互いに組み合わせることができるものである。
【図面の簡単な説明】
【００３１】
【図１】第１の実施形態による接続箱における、ハウジングキャップを上から見た斜視図である。
【図２】図１のハウジングキャップを下から見た斜視図である。
【図３】第１の実施形態に従った接続箱を通る、太陽光発電モジュールを横切る断面図であって、電気結合装置は開いた取付状態にて示している。
【図４】第１の実施形態に従った接続箱を通る、太陽光発電モジュールを横切る断面図であって、電気結合装置は閉じた結合状態にて示している。
【図５】第１の実施形態に従った、底部要素を備えた２つの結合装置を示した斜視図である。
【図６】図５の１つの結合装置を拡大して示した斜視図である。
【図７】第２の実施形態による接続箱における、ハウジングキャップを上から見た斜視図である。
【図８】図７のハウジングキャップを下から見た斜視図である。
【図９】第２の実施形態に従った接続箱を通る、太陽光発電モジュールを横切る断面図であって、電気結合装置は開いた取付状態にて示している。
【図１０】図９の接続箱を通る、太陽光発電モジュールを横切る断面図であって、結合装置は中間的な状態にて示している。
【図１１】図９の接続箱を通る、太陽光発電モジュールを横切る断面図であって、結合装置は閉じた接触状態にて示している。
【図１２】いくつかの実施形態に従った、２つの結合装置を備えた、底部要素を部分的に切り欠いて示した斜視図である。
【発明を実施するための形態】
【００３２】
図１および図２を参照すると、接続箱は、プラスチックから作られたハウジングキャップ２を有している。ハウジングキャップ２は、４つの側壁２ａから２ｄと、太陽光発電モジュールに対して平行に延在する閉じたキャップ板２ｅとから作られた、実質的に矩形のフレームによって形成されている。ハウジングキャップ２は、５つの側面で閉じられて、下向きに開いている。例えば、これは、プラスチックの射出成形から作られる。別々の折曲保護鳩目６（図３および図４参照）は、それぞれ、接続ケーブルのリードスルー４に挿入されている。
【００３３】
図２を参照すると、ハウジングキャップは下向きに開いていて、保持フレーム８は外向きに突出していて、このフレームは外周にグルー切欠部１０を有し、ハウジングキャップ２は、山型帽子状の形状を有している。最終的には、接続箱は、グルー切欠部１０に挿入された接着剤によって、太陽光発電モジュール上に永久的に接着される。ハウジングキャップの山型帽子状またはフライパン状の形状は、内側に中空空間１２を形成し、その中に、図２には示していない結合装置が、取付状態において、実質的に防水されて配置される。
【００３４】
整列ピン１４は、キャップ板２ｅの下側から、中空空間１２に延在している。不図示の接続ケーブルのためのクランプバー１７は、２つの整列ピン１４の間において、接続ケーブルのリードスルー４の内側に提供されている。さらに、キャップ板２ｅの下側には、２つの作動構造１８が設けられる。この実施形態においては、作動構造１８は、その機能についてさらに詳しく説明するが、横方向に延在する作動バーとして形成され、ハウジングキャップ２と一体的に形成されている。
【００３５】
図３を参照すると、２つの同一である結合装置２０が、接続箱１のハウジング３の中に配置され、このハウジングは、ハウジングキャップ２と底部要素５０とから形成されている。２つの結合装置２０は同一に形成されているので、２つの結合装置２０のうち一方だけについて、以下に説明する。
【００３６】
図３は、取付状態における接続箱を示しており、接触クランプ２２は開いている。底部要素５０には、結合装置２０が取り付けられ、案内スリーブ１５を有し、その中に整列ピン１４が挿入される。整列ピン１４は、関連する案内スリーブ１５をクランプし、接続箱１が太陽光発電モジュール２４に装着されたとき、底部要素５０はハウジングキャップ２にてクランプされて保持され、ハウジング３はハウジングキャップ２にて把持され、自動的に装着され、底部要素５０および結合装置２０が落下することがない。一方、結合装置２０でハウジングキャップ２と底部要素５０との間の相対的な動きを可能とする力を加えることで、すなわち、最小力を越えるならば、整列ピン１４と案内スリーブ１５との間のクランプは打ち勝つかもしれない。この例においては、案内スリーブ１５には、スロットが設けられ、整列ピン１４でのクランプ共作用の克服を改善する。
【００３７】
開いた取付状態においては、結合装置２０は未だ完全にはハウジングキャップ２の中に挿入されておらず、底部要素５０は、ハウジングキャップ２から若干（数ミリメートル）だけ下向きに突出し、すなわち、太陽光発電モジュールに対面する側に突出している。従って、取付状態においては、底部要素５０の下側５０ａと、ハウジングキャップ２の保持フレーム８との間にはオフセットが存在し、接続箱１を装着したとき、最初に、底部要素５０は太陽光発電モジュール２４に係合し、図３に示したこの状態においては、保持フレーム８は、依然として、太陽光発電モジュール２４における表面２４ａから離間している。
【００３８】
底部要素５０は、その下側５０ａに、太陽光発電モジュール２４と対面するように、比較的大きな口２６を有している。取付状態においては、繊細な可撓性の平坦導体帯２８、いわゆる“リボン”が、バリアフリーで抵抗無く、下から挿入され挿入口２６を通って、ハウジング３および結合装置２０の中に入る。平坦導体帯２８を破損する危険は、これにより減少する。この状態において、接触クランプ２２は、開いたキャッチ領域３１を形成し、ここに、接続箱を装着したとき、平坦導体帯２８が下から侵入する。好ましくは、接触クランプ２２と平坦導体帯２８との間には、未だ接触が存在せず、平坦導体帯の挿入および接触は、２つの連続した段階において行われる。
【００３９】
ここで、ハウジングキャップ２には、太陽光発電モジュール２４に対して力が加えられ、しかるに接触クランプを閉じる一方、底部要素５０はそれ自体を太陽光発電モジュール２４にて支持する。ハウジングキャップ２と結合装置２０を備えた底部要素５０との間の直動的な相対運動によって、ハウジングキャップ２は、グルー切欠部１０を備えた保持フレーム８が、太陽光発電モジュール２４の表面２４ａに係合するまで、底部要素５０と接触クランプ２０とにかぶせられて摺動する効果を有し、底部要素５０とハウジングキャップ２との下側は、太陽光発電モジュール２４と面一に当接する。この状態は、図４に示される。
【００４０】
図４を参照すると、ハウジングキャップ２は、グルー切欠部１０の中にある接着剤によって、太陽光発電モジュールに接着される。しかし、底部要素５０については、太陽光発電モジュール２４に接着する必要がない。ハウジングキャップ２が、底部要素５０および結合装置２０に向けて相対的に運動する間、この例においては、作動構造１８と作動バーが、クランプばね３２と共に、さらに相互作用する。この作動のために、接触クランプ２２は、クランプばね３２を回動することで閉じられる。そのために、クランプばね３２におけるクランプ部分３４は、キャッチ領域３１を通り抜け、平坦導体帯の上端部を把持し、クランプばね３２のクランプ部分３４と、カウンタクランプ要素３６との間において、それと電気的にクランプ接触する。そうするとき、平坦導体帯２８は屈曲されるが、というのは、この例においては、カウンタクランプ要素２６は、太陽光発電モジュールの法線に対して、約４５゜傾斜しているためである。
【００４１】
クランプばね３２は、作動部分３８を有し、これは、屈曲した部分４０と、実質的に直線状の部分４２とに分割される。閉じるとき、作動要素１８は、最初に、屈曲部分４０に作用し（図３参照）、接続箱１の閉じた状態において、直線状部分４２に対して締め付けられ、この状態を図４に示している。すなわち、閉じるとき、作動要素１８は、クランプばね３２の作動部分１８を通り過ぎる。
【００４２】
さらに、結合装置２０は、不図示の接続ケーブルのためのケーブル接続クランプ４０を有している。
【００４３】
この例においては、ケーブル接続クランプ４０にも、クランプばね４８が設けられる。これに関して、ねじクランプなど、その他の接続変形例を使用できる。
【００４４】
ここに示した実施形態においては、接続箱１は、２つの同一に形成された結合装置２０を備え、２つの平坦導体帯２８に同時に接触する。しかし、本発明がそれに限定されないことは明らかであり、接続箱１は、１つだけのまたは２つを越える結合装置２０を備えることができる。
【００４５】
図５を参照すると、結合装置２０は、底部要素５０に取り付けられ、これは、この例においては、好ましくはプラスチックから作られた、絶縁キャリアとして形成されている。底部要素５０の下側５０ａは、太陽光発電モジュール２４に係合する主たる領域と、挿入口２６とを形成している。結合装置２０はさらに、実質的にＵ字形の金属製の保持フレームを、好ましくは銅から作られて有しており、これは、スナップ嵌合５２によって、底部要素５０に係止される。
【００４６】
図５および図６は、接触クランプ２２の閉じた接触状態を示しており、接触クランプ２２は係止されている。このために、クランプばね３２は、２つのラッチ軸を有し、これらは、金属製の保持フレーム５１における対応するノーズ５５の背面に係止される。クランプばね３２は、この係止された状態においては、カウンタクランプ３６に対して予張力を与えられている。これは、永久的なしっかりした電気接触を与える。平坦導体帯２８は、図５および図６には示していない。
【００４７】
さらに、クランプばね３２は、ベアリング軸５６によって、スロット付きのベアリング開口部５８に吊下される。従って、接続箱を生産するとき、クランプばね３２は容易に挿入される。平坦ベアリング軸の位置に起因して、この位置は、取付状態および接触状態において、軸６０に対して回動し、クランプばね３２が固定される。クランプばね３２は、鋼板から打ち抜いて形成され、実質的にＵ字形に屈曲している。
【００４８】
金属製の保持フレーム５１はさらに、バイパスダイオードのための絶縁結合要素を有し、この要素は、底部要素５０にあるソケット６２によって支持される。
【００４９】
クランプばね３２の作動部分３８における２つの部分４０，４２の形態に起因して、クランプばね３２は、開いた取付状態において固定され、キャッチ領域３１は取付状態において開いて保たれる。接続箱１を太陽光発電モジュールに装着することで、導電帯２８は、太陽光発電モジュールから突出して、図１乃至図６に示した実施形態の場合には、下から直接、このキャッチ領域３１に達する。
【００５０】
ハウジングキャップ２と、結合装置２０を備えた底部要素５０との間の相互作用に起因して、作動要素１８によって、クランプばね３２は、開いた位置に強制的に残され、回動を生じる。
【００５１】
平坦導体帯２８は、キャッチ領域３１内にあって、クランプ部分３４によって把持され、この例においては、４５゜の角度の回動を維持することで、カウンタクランプ要素３６に押し付けられる。回動の終了時には、クランプばねは、そのラッチノーズ５４と共に、接触または運転状態において、金属製の保持フレーム５１の中に係止する（図４）。クランプばね３２の予張力に起因して、平坦導体帯２８とカウンタクランプ要素３６との間には、永久的で所定の押圧力が確立する。
【００５２】
再び図２を参照すると、この例においては、４つの整列ピン１４が設けられ、ハウジングキャップ２における横方向に異なる位置にて、結合装置２０を底部要素５０に配置できるようになっている。
【００５３】
図７および図８は、本発明の第２の実施形態に従った接続箱１を示しており、ハウジングキャップ２は、むしろ正方形に形成されて、第１の実施形態（図１乃至図６）におけるように次々と並べる代わりに、２つの結合装置２０を横並びに配置する。接触クランプ２２および摺動構造１４，１５は、第１の実施形態と第２の実施形態とにおいて、ほとんど同一に形成されているので、繰り返しを避けることとして、第１の実施形態の説明を参照されたい。
【００５４】
キャップ板２ｅの下側には、偏向アームを作動させるための横方向カムの形状である、第１の作動構造１４を有している（図８には不図示。図９乃至図１１を参照。）。さらに、接触クランプを作動させるための作動ピン１８が、キャップ板２ｅから、ハウジングキャップ２の内部空間内に突出している。この実施形態においては、カム１６と作動装置１８とは、ハウジングキャップ２と一体的に形成されている。
【００５５】
図９乃至図１１を参照すると、結合構造２０は、接続箱１のハウジング３の中に配置されている。図１２を参照すると、接続箱は、２つの同一である結合装置２０を有し、以下、２つのうち一方だけを参照する。
【００５６】
図９は、平坦導体帯２８にかぶせられた後の接続箱を示している。かぶせたとき、接続箱は、第１の状態、つまり取付状態にあり、偏向アーム２１は第１の位置にある。取付状態は、好ましくは接続箱がもたらされる状態であり、挿入口２６の上の中間的領域３０は、空洞に保たれ、接触クランプ２２は開いている。
【００５７】
接続箱１は、比較的大きい挿入口２６を有し、太陽光発電モジュールに対面する側に設けられる。これは、いわゆる“リボン”である繊細な可撓性の平坦導体帯２８が、取付状態において、バリアフリーで抵抗無く下から接続箱内に挿入されることを意味する。平坦導体帯２８を破損する危険は、これにより減少する。この状態において、接続箱１は、接触クランプ２２と偏向アーム２１との間に、開いた中間的または挿入領域３０を形成し、この領域には、接続箱を装着したとき、平坦導体帯２８が、抵抗無く、下から入る。好ましくは、この状態においては、接触クランプ２２または偏向アーム２１と、平坦導体帯２８との間に未だ接触は存在しない。
【００５８】
ここで、ハウジングキャップ２には、太陽光発電モジュール２４に対して力が加えられ、平坦導体帯２８を接触させ、結合装置２０は、それ自体を太陽光発電モジュール２４に支持する。結合構造２０を備えた底部要素５０に対するハウジングキャップ２の直接運動は、グルー切欠部１０の中の接着剤（図示せず）を備えた保持フレーム８が、太陽光発電モジュール２４の表面に係合するまで、ハウジングキャップ２が結合装置２０にかぶせて摺動され、底部要素５０の下側側面５０ａとハウジングキャップ２とが、太陽光発電モジュール２４に面一に当接するようになっている。この閉じた接触状態は、最終的または運転状態を表し、図１１に示されている。運転状態においては、ハウジング３は、グルー切欠部１０の中にある接着剤によって、太陽光発電モジュール２４に接着される。
【００５９】
しかし、接続箱１が最終的状態に達する前に、接続箱は、図１０に示した中間的状態を経由し、この状態においては、平坦導体帯２８は既に曲げられ、接触クランプ２２は依然として開いている。接続箱１を装着するとき、平坦導体帯は、従って、最初に、挿入領域３０の中に挿入される。続いて、底部要素５０の下側側面５０ａが太陽光発電モジュール２４に係合した後で、平坦導体帯２８は、曲げられて、偏向アーム２１によって、接触クランプ２２におけるキャッチ領域３１の中に入る。さらに続いて、接触クランプ２２は、第２の作動要素１８によって、活動的に閉じられる。従って、接続箱１は、３つの事前に定義された状態を呈し、すなわち、偏向アーム２１が第１の位置にあり、キャッチ領域は空洞で、接触クランプ２２が開かれている、取付状態（図９）と、平坦導体帯２８は、偏向アーム２１によって依然として開いている接触クランプ２２のキャッチ領域の中に、曲げられて入れられる中間的状態（図１０）と、接触クランプ２２が閉じられ、クランプ接触によって、平坦導体帯２８との電気的接触を確立する、最終的または運転状態（図１１）とである。この実施形態では、平坦導体帯２８の接触は、太陽光発電モジュール２４の表面に対して平行に実行される。
【００６０】
ハウジングキャップ２と底部要素５０と結合装置２０との間の相対的な運動中に、第１の作動要素１６、この例においては、作動カムは、従って、最初に、偏向アーム２１と相互作用し、その後に、第２の作動要素１８、この例においては、作動ピンはクランプばね３２と相互作用する。この連続的な作動によって、偏向アーム２１における屈曲部分２１ａは、最初に、カム１６による作動に応答して、偏向される。その後に、接触クランプ２２は、クランプばね２２を回動することで閉じられる。この例においては、カム１６は、ハウジングキャップ２の側壁のノーズとして形成され、ハウジングキャップ２と一体的になっている。その後に、クランプばね３２におけるクランプ部分３４は、接触クランプにおけるキャッチ領域３１を通り過ぎ、クランプばね３２のクランプ部分３４とカウンタクランプ要素３６との間に、平坦導体帯２８の自由端をクランプして接触する。偏向アーム２１におけるクランプ部分２１ａは、折曲ヒンジ２１ｂによって、保持部分２１ｃと一体的に結合される。保持部分２１ｃは、底部要素５０に取り付けられ、より正確には、底部要素と共に一体的に形成される。
【００６１】
図１２を参照すると、接続箱１は、この例においては、２つの結合装置２０を備えている。結合装置は、頂部にて絶縁性の底部要素５０に取り付けられる。図１２は、開いた取付状態において、接触クランプ２２を示している。クランプばね３２は、２つのラッチノーズ５４を有し、これらはそれぞれ、開いた取付状態においては、金属製の保持フレーム５３における凹部５３を克服してクランプする。
【００６２】
次に、再び図９乃至図１１を参照する。ハウジングキャップ２と、結合装置２０が取り付けられたプラスチック製の底部要素５０とが一緒に働くので、偏向アーム２１の屈曲部分２１ａと、クランプばね２１とは、作動要素１６および１８によって回動する。回動動作の終了時には、クランプばねは、接触状態（図１１）においては、保持フレーム５１のノーズ５５の背部で、ラッチノーズ５４に係止される。クランプばね３２の予張力のために、平坦導体帯２８と、導電カウンタクランプ要素３６との間には、永久的で所定の押圧力が確立される。
【００６３】
当業者には明らかなように、上述した実施形態は例示として理解されるべきであり、本発明は、それらに限定されないが、本発明の範囲から逸脱せずに、様々な方法で変形できる。特に、接続箱は、１つの箱内に、一以上の接触クランプを有し、一以上の平坦導体帯と接触できる。さらに、明らかに、特徴は、個々に、本発明の本質的部分を形成し、たとえ、それらが他の特徴と一緒に一般的に説明されていたとしても、それらが説明、図面、または別な具合に開示されているか否かにかかわりない。
【図１】
2010518564.tif 000003
【図２】
2010518564.tif 000004
【図３】
2010518564.tif 000005
【図４】
2010518564.tif 000006
【図５】
2010518564.tif 000007
【図６】
2010518564.tif 000008
【図７】
2010518564.tif 000009
【図８】
2010518564.tif 000010
【図９】
2010518564.tif 000011
【図１０】
2010518564.tif 000012
【図１１】
2010518564.tif 000013
【図１２】
2010518564.tif 000014
【国際調査報告】
2010518564.tif 000015
2010518564.tif 000016
2010518564.tif 000017
2010518564.tif 000018